(57)【要約】      （修正有）【課題】単純な構造で、ノック部の操作による筆記具の操作とともにさまざまな音声を発して興味を引くことができる筆記具を提供する。【解決手段】握り軸部と、握り軸部の軸に沿ってノック操作が可能に配置されたノック部３０と、ボールペンリフィール４１のチップが握り軸部の先端から突出した筆記位置、又は握り軸部に格納される収納位置に配置可能な筆記部４０と、ノック部３０のノック操作により、ボールペンリフィール４１を筆記位置にする動作、及び解除する動作を交互に行う駆動機構部５０と、ノック部３０を押し戻すノックばね６０と、ノック部とノックばね６０との間に同軸に配置され、ノック部３０のノック動作を駆動機構部５０に伝達すると共に、駆動機構部５０との接触又は離間によってオン状態又はオフ状態が切り換えられるスイッチ部の制御により音声を発生する電子式の音声発生部７０とを備える。【選択図】図３
0003208389.tif 000002
【実用新案登録請求の範囲】
【請求項１】
握り軸部と、
前記握り軸部における一端側に前記握り軸部の前記一端側から先端が突出配置されると共に前記握り軸部の軸に沿ってノック操作が可能に配置されたノック部と、
前記握り軸部における他端側に配置されると共に、筆記芯の先端が前記握り軸部における前記他端側から突出した筆記位置、又は前記握り軸部に格納される収納位置に配置可能であり、前記筆記芯が前記収納位置に向かう方向に常時付勢される筆記部と、
前記ノック操作された前記ノック部により、前記筆記芯を前記収納位置から前記筆記位置に押し出す動作、及び前記押し出す動作の解除を交互に行う駆動機構部と、
前記ノック部と前記駆動機構部との間に配置され、前記ノック部を前記一端側に押し戻す付勢部材と、が前記握り軸部に同軸に配置され、
前記ノック部と前記付勢部材との間に同軸に配置され、前記ノック部のノック動作を前記駆動機構部に伝達すると共に、前記駆動機構部との接触又は離間によってオン状態又はオフ状態が切り換えられるスイッチ部の制御により音声を発生する電子式の音声発生部と、を備えることを特徴とする筆記具。
【請求項２】
前記音声発生部には複数種の音声が格納されており、前記スイッチ部の動作により前記複数種の音声から順次、又はランダムに選択した音声を発することを特徴とする請求項１に記載の筆記具。
【請求項３】
前記握り軸部には、前記音声発生部が発する音声に関連する図柄が描かれていることを特徴とする請求項１又は請求項２に記載の筆記具。
【請求項４】
前記ノック部には、前記音声に関連する造形部を備えることを特徴とする請求項１から請求項３までの何れか一項に記載の筆記具。
【請求項５】
前記筆記芯は、ボールペン芯又はシャープペンシル芯であることを特徴とする請求項１から請求項４までの何れか一項に記載の筆記具。
【考案の詳細な説明】
【技術分野】
【０００１】
本考案は筆記具に係り、特にノック式の筆記具に関する。
【背景技術】
【０００２】
筆記具としてボールペンには、付加価値を高めるため、軸部にイラストを配したもの、ノック部にマスコットキャラクターや他の装飾を施したもの、ノック部のノック動作をきっかけとして光や音を発するようにしたもの等がある。
【０００３】
特許文献１には、筆記軸横に配置された筆記軸操作部の上下ノック操作によって筆記部を出没操作する筆記用具において、該上下ノック操作に伴って筆記軸上部に取付けたキャラクター形状部材に動作が伝達され、内蔵されたギアによって動作方向を変換した上で１つ又は複数の可動部材を可動せしめ、さらに、別に内蔵された電極部が接触してＬＥＤなどによる発光部を発光・点滅させて２種類以上の複合動作を実現し、ノック操作によって多種類の複合動作を行なうものが記載されている。
【０００４】
また、特許文献２には、ペンヘッドに配置されたボタンスイッチの操作により、アラームホーンにより音や音楽を発生させ、多色光ＬＥＤ基台が音や音楽の音階の変化に併せて発光するペンが記載されている。
【０００５】
さらに、特許文献３には、筆記部の出没操作を行うノック部の動作に付随して空気を送り出す蛇腹式ポンプ部材、該蛇腹式ポンプ部材から送り込まれる空気によって音を発する発音部材、空気を正確に発音部材に送り込むための整流部材、該発音部材の下部に設けられた筒部材、該筒部体内に出入りして音程を変化させる音程変化部材及び筆記部上部にノック部の動作に付随して可動する部材を付加したキャラクター部材を備える筆記具が記載されている。
【先行技術文献】
【特許文献】
【０００６】
【特許文献１】実登３０９８９５４号公報
【特許文献２】実登３０９３７９８号公報
【特許文献３】実登３０６７４８１号公報
【考案の概要】
【考案が解決しようとする課題】
【０００７】
しかし、上述した特許文献１に係るものは、軸側部に設けた操作軸操作部を操作するものであり、筆記具の上端のノック部の操作により筆記芯を出没させる構造を備えていないし、キャラクター形状部材を動作させるための駆動力の伝達機構が複雑である。
【０００８】
また、特許文献２に係るものは、筆記芯の先端が軸の先端から突出して固定されているものであり、ノック式の筆記具に適応できず、発声や発光の操作は筆記芯の動作に関係ないスイッチで行うものある。
【０００９】
更に、特許文献３に係るものは、蛇腹式ポンプにより空気を送り出して発声部材を動作させるものであり、発せられる音声が単調であり興味に乏しい。
【００１０】
本考案は上述した課題に鑑みたものであり、単純な構造であり、ノック部の操作による筆記具の操作とともにさまざまな音声を発することで大きな興味を引くことができる筆記具を提供することを目的とする。
【課題を解決するための手段】
【００１１】
前記課題を解決する請求項１に記載の考案は、握り軸部と、前記握り軸部における一端側に前記握り軸部の前記一端側から先端が突出配置されると共に前記握り軸部の軸に沿ってノック操作が可能に配置されたノック部と、前記握り軸部における他端側に配置されると共に、筆記芯の先端が前記握り軸部における前記他端側から突出した筆記位置、又は前記握り軸部に格納される収納位置に配置可能であり、前記筆記芯が前記収納位置に向かう方向に常時付勢される筆記部と、前記ノック操作された前記ノック部により、前記筆記芯を前記収納位置から前記筆記位置に押し出す動作、及び前記押し出す動作の解除を交互に行う駆動機構部と、前記ノック部と前記駆動機構部との間に配置され、前記ノック部を前記一端側に押し戻す付勢部材と、が前記握り軸部に同軸に配置され、前記ノック部と前記付勢部材との間に同軸に配置され、前記ノック部のノック動作を前記駆動機構部に伝達すると共に、前記駆動機構部との接触又は離間によってオン状態又はオフ状態が切り換えられるスイッチ部の制御により音声を発生する電子式の音声発生部と、を備えることを特徴とする筆記具である。
本考案によれば、ノック部と、筆記部と、駆動機構部と、付勢部材と音声発声部とは握り軸部の内部に軸線に沿って配置され、ノック部をノックすることにより駆動機構が動作して筆記部の筆記芯を筆記位置、収納位置に交互に移動させる。このとき、このノック部のノック動作は、音声発生部で駆動部に伝達されるとともに、このノック部のノック動作により音声発生部のスイッチ部が駆動機構部に接触してオン状態とオフ状態が切り換えられ、音声発生部から音声が発せられる。
よって、音声の発生がノック部のノック操作に連動するため興味を引く他、各部が握り軸部内に一列に配置されているだけであるため、単純な構造にできる。
【００１２】
同じく請求項２に記載の考案は、前記音声発声部には複数種の音声が格納されており、前記スイッチ部の動作により前記複数種の音声から順次、又はランダムに選択した音声を発することを特徴とする。
本考案によれば、ノック部のノック操作によるスイッチのオンオフ切換により、音声発声部からは、格納された複数種の音声から順次、又はランダムに選択した音声が再生される。
よって、ノック部のノック操作を行うたびに複数種の音声が順次又はランダムに再生されるため、使用者や周囲の者の興味を引くことができる。
【００１３】
同じく請求項３に記載の考案は、前記握り軸部には、前記音声発生部が発する音声に関連する図柄が描かれていることを特徴とする。
本考案によれば、握り軸部には音声発生部が発生する音声に関連する図柄が描かれている。
よって、使用者は聴取した音声と視認している図柄とを関連付けて楽しむことができる。
【００１４】
同じく請求項４に記載の考案は、前記ノック部には、前記音声に関連する造形部を備えることを特徴とする。
本考案によれば、ノック部には、音声発生部が発する音声に関連するキャラクター等の造形部が形成される。
よって、使用者はキャラクター等の造形部とノック操作時に発せられる音声とを関連づけて楽しむことができる。
【００１５】
同じく請求項５に記載の考案は、前記筆記芯は、ボールペン芯又はシャープペンシル芯であることを特徴とする。
本考案によれば、筆記芯としてボールペン芯又はシャープペンシル芯を使用することができる。
よって、使用者は、筆記状態に応じた筆記芯を採用した筆記具を使用できる。
【考案の効果】
【００１６】
本考案に係る筆記具によれば、単純な構造であり、ノック部の操作による筆記具の操作とともにさまざまな音声を発することで大きな興味を引くことができる。
【００１７】
即ち、請求項１に記載の筆記具によれば、ノック部と、筆記部と、駆動機構部と、付勢部材と音声発声部とは握り軸部の内部に軸線に沿って配置され、ノック部をノックすることにより駆動機構が動作して筆記部の筆記芯を筆記位置、収納位置に交互に移動させる。このとき、このノック部のノック動作は、音声発生部で駆動部に伝達されるとともに、このノック部のノック動作により音声発生部のスイッチ部が駆動機構部に接触してオン状態とオフ状態が切り換えられ、音声発生部から音声は発せられるので、音声の発生がノック部のノック操作に連動するため興味が引かれる他、各部が握り軸部内に一列に配置されているだけであるため、筆記具を単純な構造とすることができ、電池や筆記芯の交換も容易なものとできる。
【００１８】
また、請求項２に記載の筆記具によれば、ノック部のノック操作によるスイッチのオンオフ切換により、音声発声部からは、格納された複数種の音声から順次、又はランダムに選択した音声が再生されるので、ノック部のノック操作を行うたびに複数種の音声が順次又はランダムに再生されるため、使用者や周囲の者の興味を引くことができる。
【００１９】
また、請求項３に記載の筆記具によれば、握り軸部には音声発生部が発生する音声に関連する図柄が描かれているので、使用者は聴取した音声と視認している図柄とを関連付けて楽しむことができる。
【００２０】
また、請求項４に記載の筆記具によれば、ノック部には、音声発生部が発する音声に関連するキャラクター等の造形部が形成されるので、使用者はキャラクター等の造形部とノック操作時に発せられる音声とを関連づけて楽しむことができる。
【００２１】
また、請求項５に記載の筆記具よれば、筆記芯としてボールペン芯又はシャープペンシル芯を使用することができるので、使用者は、筆記状態に応じた筆記芯を採用した筆記具を使用できる。
【図面の簡単な説明】
【００２２】
【図１】本考案の実施形態に係る筆記具の外観を示す模式図である。
【図２】同筆記具の内部構造を示す透視図である。
【図３】同筆記具の構成を示す分解斜視図である。
【図４】同筆記具の構成を示す詳細分解斜視図である。
【考案を実施するための形態】
【００２３】
本考案を実施するための形態に係る筆記具について説明する。本実施形態では筆記具としてボールペンを例として説明する。
【００２４】
図１は本考案の実施形態に係る筆記具の外観を示す模式図、図２は同筆記具の内部構造を示す透視図である。本実施形態に係る筆記具１０は、握り軸部２０と、ノック部３０と、筆記部４０と、駆動機構部５０と、付勢部材であるノックばね６０と、音声発生部７０とを備えて構成される。筆記具１０において、握り軸部２０内には、図中上側から、ノック部３０、音声発生部７０、ノックばね６０、駆動機構部５０、筆記部４０が記載順に握り軸部２０の軸に沿って配置される。そして、ノック部３０がノック動作されると、音声発生部７０はノックばね６０を押し込んで駆動機構部５０に接触して駆動機構部５０を駆動させ、筆記部４０を筆記位置又は収納位置に移動させる。また、ノックばね６０は常時音声発生部７０及びノック部３０を図中上方に付勢し、ノック部３０のノック棒３１を常に上部軸筒２１から突出した状態に保持する。
【００２５】
握り軸部２０は、上部軸筒２１と、中央部軸筒２２と、下部軸筒２３とから構成されている。上部軸筒２１は円筒形、中央部軸筒２２は短円筒形、下部軸筒２３は先すぼまりの略円錐形状をなしている。上部軸筒２１、中央部軸筒２２、下部軸筒２３は中空の合成樹脂部材であり、それぞれ接合部に雄ねじ及び雌ねじが形成され、互いにねじ込むことができる。上部軸筒２１、中央部軸筒２２、下部軸筒２３を連結することにより、握り軸部２０が構成される。
【００２６】
ノック部３０は、上部軸筒２１の内部に配置されている。ノック部３０は、ノック棒３１と、造形部であるキャラクター人形３２を備える。ノック棒３１は、上部軸筒２１にノック動作可能に配置されている。また、キャラクター人形３２はノック棒３１に取付け取外し可能に装着されている。上部軸筒２１には、握り軸部２０の一端部をなす上端部に孔部が形成されており、ノック棒３１がノック動作可能に突出配置されている。
【００２７】
筆記部４０は、下部軸筒２３の内部に配置されている。筆記部４０は、筆記芯であるボールペンリフィール４１と、リターンばね４２とを備えて構成される。ボールペンリフィール４１は、先端にチップ４１ａを備える。リターンばね４２は、ボールペンリフィール４１を下部軸筒２３内に収納する方向（図２、図３、図４中上方）に付勢する。
【００２８】
ボールペンリフィール４１は、駆動機構部５０と、リターンばね４２との作用により、チップ４１ａを下部軸筒２３の先端から突出させた筆記位置と、チップ４１ａを下部軸筒２３内に格納した収納位置に配置される。
【００２９】
駆動機構部５０は、中央部軸筒２２の内部に配置されている。駆動機構部５０は、図３に示すように回転カム５１、円筒カム部材５２、円筒部材５３を備える。駆動機構部５０の円筒部材５３は、ノック部３０がノック動作されるたびに下方に移動し、この移動により回転カム５１と円筒カム部材５２とのかみ合いが変更され、円筒カム部材５２に接触するボールペンリフィール４１が上下動作する。この上下動作は、ノック部３０のノック動作のたびに、ボールペンリフィール４１のチップ４１ａを筆記位置、収納位置に交互に移動するものである。このようなノック式のボールペンの機構は公知である。
【００３０】
ノックばね６０は、音声発生部７０とノック部３０とを図中上方に付勢している。ノック部３０がノック操作されたとき、音声発生部７０は移動してノックばね６０を押し込み、駆動機構部５０に接触する。これにより、ノック部３０のノック動作が駆動機構部５０に伝達される。ノック部３０のノック動作が終了すると、ノック部３０はノックばね６０の付勢力により音声発生部７０と共に上方に移動して音声発生部７０と駆動機構部５０とは離間した状態となる。
【００３１】
音声発生部７０は、電子式の音声発生装置であり、メモリー内に音声ファイルを格納し、この音声ファイルを再生することにより音声を発する。図２及び図３に示すように、音声発生部７０は、全体が円筒形であり、上部軸筒２１の内部に収納される。音声発生部７０の駆動機構部５０側端部（下端部）にはスイッチ部７１が配置される。
【００３２】
音声発生部７０は、図４に示すように、上述したスイッチ部７１、スピーカ部７２、ＩＣチップ７３等が配置された基盤部７４と、基板ケース７５と、電池ホルダ７６と、電池ケース７７と、電池蓋部７８とからなる。音声発生部７０の内部には、電源として３個のボタン電池７９、７９、７９が収納される。
【００３３】
ＩＣチップ７３は、複数種、例えば６種類の音声ファイルを格納しており、スイッチ部７１がオン状態になると、ランダムに選択した音声ファイルを音声信号に変換し増幅して、スピーカ部７２から出力する。音声ファイルとしては、キャラクター人形３２のモデルであるキャラクターが発生するさまざまな台詞や歌、音楽等を選択することができる。なお、音声の発生順はランダムとすることに限らず、順序を設けて再生することができる。
【００３４】
本実施形態に係る筆記具１０では、図１に示すように、握り軸部２０を構成する上部軸筒２１の表面には、キャラクター人形３２のモデルであるキャラクターに関連する絵柄２１Ａ、２１Ｂ，２１Ｃが表されている。図１では、握り軸部２０の片面に絵柄が３種類現れているが、複数の音声ファイルの音声に関連する絵柄、例えばキャラクターの台詞を文字として６種を記載することができる。
【００３５】
本実施形態に係る筆記具１０では、ノック部３０をノックするたびに、音声発生部７０がノックばね６０を圧縮して駆動機構部５０に接触してノック部３０の動作を駆動機構部５０に伝達する。これにより、チップ４１ａが下部軸筒２３の下端から突出する筆記位置とチップ４１ａが下部軸筒２３内に格納される収納位置に設定できる。このとき、スイッチ部７１が駆動機構部５０に接触してオン状態となるから、音声発生部７０からランダムに音声が発せられる。
【００３６】
本実施形態に係る筆記具１０では、発せられる音声は、キャラクター人形３２のキャラクターに関連する他、上部軸筒２１の表面に描かれた絵柄２１Ａ、２１Ｂ、２１Ｃ等のいずれかと関連する。このため、使用者は出力される音声、絵柄２１Ａ、２１Ｂ、２１Ｃ及びキャラクター人形３２を関連付けて筆記具１０を使用でき、興味をそそられる。
【００３７】
また、筆記具１０の音声発生部７０の電池交換に際しては、上部軸筒２１を中央部軸筒２２から分離して、音声発生部７０を取出す。そして、電池蓋部７８を開けて、ボタン電池７９を交換し、電池蓋部７８を閉め、音声発生部７０を上部軸筒２１内に収納して、上部軸筒２１を中央部軸筒２２にねじ込めばよい。
【００３８】
更に、ボールペンリフィール４１を交換するには、下部軸筒２３を中央部軸筒２２から分離して、ボールペンリフィール４１を交換し、下部軸筒２３を中央部軸筒２２にねじ込めはよい。
【００３９】
以上のように本実施形態に係る筆記具１０によれば、音声の発生がノック部３０のノック操作に連動するため興味が引かれる他、各部が握り軸部２０内に一列に配置されているだけであるため、筆記具を単純な構造とすることができ、ボタン電池７９やのボールペンリフィール４１の交換も容易なものとできる。また、筆記具１０の上部軸筒２１には、絵柄２１Ａ、２１Ｂ、２１Ｃ等が描かれ、またノック部３０にはキャラクター人形３２が配置される。そして、これらは音声発生部７０から発せられる音声に関連するものであるため、使用者は一層興味が引かれる。
【００４０】
なお、上記実施形態では、筆記芯としてボールペンリフィール４１を使用した場合を例として説明したが、筆記芯としてボールペンリフィール４１に代えてシャープペンシル芯その他の芯を使用することができる。これにより、筆記具をシャープペンシルやその他の筆記具とすることができる。
【産業上の利用可能性】
【００４１】
本考案は、筆記具を単純な構造とし、更にノック部のノック操作による筆記具の操作とともにさまざまな音声を発し使用者の興味を引くことができるので、産業上の利用可能性がある。
【符号の説明】
【００４２】
１０：筆記具
２０：握り軸部
２１：上部軸筒
２１Ａ、２１Ｂ、２１Ｃ：絵柄
２２：中央部軸筒
２３：下部軸筒
３０：ノック部
３１：ノック棒
３２：キャラクター人形
４０：筆記部
４１：ボールペンリフィール
４１ａ：チップ
４２：リターンばね
５０：駆動機構部
５１：回転カム
５２：円筒カム部材
５３：円筒部材
６０：ノックばね
７０：音声発生部
７１：スイッチ部
７２：スピーカ部
７３：ＩＣチップ
７４：基盤部
７５：基板ケース
７６：電池ホルダ
７７：電池ケース
７８：電池蓋部
７９：ボタン電池
【図１】
0003208389.tif 000003
【図２】
0003208389.tif 000004
【図３】
0003208389.tif 000005
【図４】
0003208389.tif 000006